(57)【要約】      （修正有）【課題】タンポン本体が適切に外に押し出されるタンポンを実現することにある。【解決手段】タンポン本体２０と、先端に開口を備え、該タンポン本体２０を収納するための収納筒４０と、該収納筒内において移動して、前記タンポン本体２０を前記開口から前記収納筒４０の外に押し出すための押出部材と、を有するタンポン１０であって、前記収納筒４０は、その内面に該収納筒４０の長手方向に沿うリブ５４を備えることを特徴とする。【選択図】図５
2010200909.tif 000002
【特許請求の範囲】
【請求項１】
タンポン本体と、
先端に開口を備え、該タンポン本体を収納するための収納筒と、
該収納筒内において移動して、前記タンポン本体を前記開口から前記収納筒の外に押し出すための押出部材と、
を有するタンポンであって、
前記収納筒は、その内面に該収納筒の長手方向に沿うリブを備えることを特徴とするタンポン。
【請求項２】
請求項１に記載のタンポンであって、
前記収納筒は、前記内面の内周方向において等間隔に並ぶように配置された３つ以上の前記リブを備えることを特徴とするタンポン。
【請求項３】
請求項２に記載のタンポンであって、
前記タンポン本体は、前記内面及び前記リブのうちの前記リブのみに接触していることを特徴とするタンポン。
【請求項４】
請求項１乃至請求項３のいずれかに記載のタンポンであって、
前記収納筒は、少なくとも該収納筒の前記長手方向における中央よりも前記先端側に、前記リブを備えることを特徴とするタンポン。
【請求項５】
請求項１乃至請求項４のいずれかに記載のタンポンであって、
前記収納筒は、前記開口を囲む複数の花弁状部分を有し、該花弁状部分に前記リブを備えないことを特徴とするタンポン。
【請求項６】
請求項１乃至請求項５のいずれかに記載のタンポンであって、
前記収納筒は、
前記開口が形成され、前記先端側に位置する大径部と、
該大径部の内径よりも小さな内径を有し、前記先端側とは反対側の後端側に位置する小径部と、を有し、
前記大径部及び前記小径部のうちの前記大径部のみに前記タンポン本体が収納されており、
前記押出部材は、前記収納筒の前記大径部内及び前記小径部内において移動して、前記タンポン本体を前記開口から前記収納筒の外に押し出し、
前記収納筒は、前記大径部及び前記小径部のうちの大径部のみに前記リブを備えることを特徴とするタンポン。
【請求項７】
請求項６に記載のタンポンであって、
前記大径部の径方向における前記リブの突出高さは、前記大径部と前記小径部の内径差よりも小さいことを特徴とするタンポン。
【請求項８】
請求項１乃至請求項５のいずれかに記載のタンポンであって、
前記収納筒は、
前記開口が形成され、前記先端側に位置する大径部と、
該大径部の内径よりも小さな内径を有し、前記先端側とは反対側の後端側に位置する小径部と、を有し、
前記大径部及び前記小径部のうちの前記大径部のみに前記タンポン本体が収納されており、
前記押出部材は、前記収納筒の前記大径部内及び前記小径部内において移動して、前記タンポン本体を前記開口から前記収納筒の外に押し出し、
前記収納筒は、前記大径部及び前記小径部の双方に前記リブを備えることを特徴とするタンポン。
【請求項９】
請求項１乃至請求項８のいずれかに記載のタンポンであって、
前記タンポン本体の外表面には、製剤が付着していることを特徴とするタンポン。
【発明の詳細な説明】
【技術分野】
【０００１】
本発明は、タンポンに関する。
【背景技術】
【０００２】
タンポン本体と、先端に開口を備え、該タンポン本体を収納するための収納筒と、該収納筒内において移動して、前記タンポン本体を前記開口から前記収納筒の外に押し出すための押出部材と、を有するタンポンは、既によく知られている。  
そして、かかるタンポンの使用者が当該押出部材を操作することにより、タンポン本体が前記開口から外に押し出され、タンポン本体が膣腔内に挿入される。
【先行技術文献】
【特許文献】
【０００３】
【特許文献１】特開平５−８４２６３号公報
【発明の概要】
【発明が解決しようとする課題】
【０００４】
従来、使用者による押出部材の操作により押出部材がタンポン本体を前記開口から前記収納筒の外に押し出す際に、タンポン本体が適切に外に押し出されない場合があった。したがって、タンポン本体が適切に外に押し出されるタンポンが要請されていた。  
本発明は、かかる課題に鑑みてなされたものであり、その目的とするところは、タンポン本体が適切に外に押し出されるタンポンを実現することにある。
【課題を解決するための手段】
【０００５】
上記目的を達成するための主たる発明は、
タンポン本体と、
先端に開口を備え、該タンポン本体を収納するための収納筒と、
該収納筒内において移動して、前記タンポン本体を前記開口から前記収納筒の外に押し出すための押出部材と、
を有するタンポンであって、
前記収納筒は、その内面に該収納筒の長手方向に沿うリブを備えることを特徴とするタンポンである。  
本発明の他の特徴については、本明細書及び添付図面の記載により明らかにする。
【発明の効果】
【０００６】
本発明によれば、タンポン本体が適切に外に押し出されるタンポンが実現される。
【図面の簡単な説明】
【０００７】
【図１】タンポン１０の構成要素を示す断面図である。
【図２】タンポン１０の構成要素を示す断面図である。
【図３】外筒４０の外観図である。
【図４】図３に示す外筒４０を先端側から見た図である。
【図５】図１又は図２のＡ−Ａ断面図である。
【図６】図２の部分拡大図である。
【図７】比較例に係るタンポン１０を表した図である。
【図８】他の実施形態に係る長手方向リブ５４を示した図である。
【図９】他の実施形態に係る長手方向リブ５４を示した図である。
【図１０】他の実施形態に係るタンポン１０を示した図である。
【発明を実施するための形態】
【０００８】
本明細書及び添付図面の記載により、少なくとも、以下の事項が明らかとなる。
【０００９】
タンポン本体と、
先端に開口を備え、該タンポン本体を収納するための収納筒と、
該収納筒内において移動して、前記タンポン本体を前記開口から前記収納筒の外に押し出すための押出部材と、
を有するタンポンであって、
前記収納筒は、その内面に該収納筒の長手方向に沿うリブを備えることを特徴とするタンポン。  
かかる場合には、タンポン本体が適切に外に押し出されるタンポンが実現されることとなる。
【００１０】
かかるタンポンであって、
前記収納筒は、前記内面の内周方向において等間隔に並ぶように配置された３つ以上の前記リブを備えることが望ましい。  
かかる場合には、タンポン本体がより適切に外に押し出されることとなる。
【００１１】
かかるタンポンであって、
前記タンポン本体は、前記内面及び前記リブのうちの前記リブのみに接触していることが望ましい。  
かかる場合には、タンポン本体がより適切に外に押し出されることとなる。
【００１２】
かかるタンポンであって、
前記収納筒は、少なくとも該収納筒の前記長手方向における中央よりも前記先端側に、前記リブを備えることが望ましい。  
かかる場合には、タンポン本体がより適切に外に押し出されることとなる。
【００１３】
かかるタンポンであって、
前記収納筒は、前記開口を囲む複数の花弁状部分を有し、該花弁状部分に前記リブを備えないことが望ましい。  
かかる場合には、開口が開きにくくなる問題が生じず、タンポン本体がより適切に外に押し出されることとなる。
【００１４】
かかるタンポンであって、
前記収納筒は、
前記開口が形成され、前記先端側に位置する大径部と、
該大径部の内径よりも小さな内径を有し、前記先端側とは反対側の後端側に位置する小径部と、を有し、
前記大径部及び前記小径部のうちの前記大径部のみに前記タンポン本体が収納されており、
前記押出部材は、前記収納筒の前記大径部内及び前記小径部内において移動して、前記タンポン本体を前記開口から前記収納筒の外に押し出し、
前記収納筒は、前記大径部及び前記小径部のうちの大径部のみに前記リブを備えることが望ましい。  
かかる場合には、タンポン本体の適切な押し出しが効率的に行われることとなる。
【００１５】
かかるタンポンであって、
前記大径部の径方向における前記リブの突出高さは、前記大径部と前記小径部の内径差よりも小さいことが望ましい。  
かかる場合には、大径部に収納されたタンポン本体が小径部の方へ入ってしまうという問題の発生が防止されることとなる。
【００１６】
かかるタンポンであって、
前記収納筒は、
前記開口が形成され、前記先端側に位置する大径部と、
該大径部の内径よりも小さな内径を有し、前記先端側とは反対側の後端側に位置する小径部と、を有し、
前記大径部及び前記小径部のうちの前記大径部のみに前記タンポン本体が収納されており、
前記押出部材は、前記収納筒の前記大径部内及び前記小径部内において移動して、前記タンポン本体を前記開口から前記収納筒の外に押し出し、
前記収納筒は、前記大径部及び前記小径部の双方に前記リブを備えることが望ましい。  
かかる場合には、押出部材を適切に移動させることが可能となる。
【００１７】
かかるタンポンであって、
前記タンポン本体の外表面には、製剤が付着していることが望ましい。  
かかる場合には、膣腔内に投与される製剤の量が少なくなってしまう問題が回避されるという効果が生ずる。
【００１８】
＝＝＝タンポンの構成について＝＝＝
先ず、タンポン１０の構成について、図１乃至図６を参照しながら説明する。  
図１及び図２は、タンポン１０の構成要素を示す断面図である。図１は、内筒５０を収縮させた状態のタンポン１０を、図２は、内筒５０を伸張させた状態のタンポン１０を、それぞれ示している。図３は、外筒４０の外観図である。図４は、図３に示す外筒４０を先端側から見た図である。図５は、図１又は図２のＡ−Ａ断面図である。図６は、図２の部分拡大図である。なお、以降の説明において、タンポン１０の長手方向において、膣腔内に挿入される側を先端と呼び、反対側を後端と呼ぶ。
【００１９】
本実施形態のタンポン１０は、図１、図２に示すように、タンポン本体２０とアプリケータ３０とを有する。  
タンポン本体２０は、膣腔を閉塞して経血等の液体を吸収する吸収体である。このタンポン本体２０は、レーヨン繊維からなる吸収体本体（綿体）をポリエステルスパンボンド不織布からなるカバー体で覆ったものであり、略弾丸状の形状を有している。
【００２０】
また、本実施の形態においては、タンポン本体２０の外表面２１に製剤Ｍが付着している。この製剤Ｍは、膣腔内に投与されて、抗酸化作用、抗炎症作用、抗菌作用、抗ウイルス作用、抗アレルギー作用、脱臭作用、血管拡張作用、脂質過酸化抑制作用などを発揮する松樹皮抽出物（東洋新薬社製フラバンジェノール）の、ポリエチレングリコールとの混合物である。松樹皮抽出物とポリエチレングリコールとの混合比は１：９である（すなわち、松樹皮抽出物が１０重量パーセントに対し、ポリエチレングリコールが９０重量パーセント）。なお、本実施の形態において、製剤Ｍは、タンポン本体２０の全外表面に均一に約０．１ｍｍの膜厚で塗られている。
【００２１】
また、本実施の形態に係るタンポン本体２０には、紐の一例としての取り出し紐２２が（縫い）付けられている。この取り出し紐２２は、綿製の撚糸である。取り出し紐２２は、タンポン本体２０の後端側から伸びており、膣腔内にあるタンポン本体２０を膣腔外に引き出す際に使用者によって持たれる。また、取り出し紐２２は、図１、図２に示すように、アプリケータ３０内を通り該アプリケータ３０の後端から幾分引き出されている。すなわち、取り出し紐２２においては、その一部がアプリケータ３０の後端から外部に露出している。
【００２２】
アプリケータ３０は、タンポン本体２０を膣腔内に導き入れ易くするための補助具である。アプリケータ３０は、図１、図２に示すように、収納筒の一例としての外筒４０と、押出部材の一例としての内筒５０と、を備えている。
【００２３】
外筒４０は、タンポン本体２０を収納するためのものである。この外筒４０は、熱可塑性樹脂（本実施の形態においては、ポリエチレン樹脂）を用いて射出成形された円筒体であり、適宜な可撓性を有する。また、外筒４０は、先端側（換言すれば、外筒４０の長手方向における一端側）に位置する大径部４１と、当該大径部４１の内径よりも小さな内径を有し、前記先端側とは反対側の後端側（換言すれば、外筒４０の長手方向における他端側）に位置する小径部４２とを備えている（なお、外径についても、大径部４１の方が小径部４２より大きい）。つまり、外筒４０の先端部の外径（内径）は後端部の外径（内径）よりも大きいこととなる。そして、このことにより、大径部４１及び小径部４２との間には環状の段差４７が形成されている。
【００２４】
大径部４１は、外筒４０の中で、主として、内部にタンポン本体２０を収納する役割を果たす部分である。すなわち、本実施の形態に係るタンポン１０においては、大径部４１及び小径部４２のうちの大径部４１のみにタンポン本体２０が収納されている（したがって、外筒４０の長手方向における大径部４１の長さは、当該長手方向におけるタンポン本体２０の長さよりも長くなっている）。また、当該大径部４１は、タンポン１０の使用時にタンポン本体２０を収納した状態で膣腔内に挿入される部分である。
【００２５】
また、大径部４１（外筒４０）は、先端に開口（以下、先端開口４３と呼ぶ）を備えており、さらに、該先端開口４３を囲む複数（本実施形態では、６つ）の花弁状部分４４を有している。複数の花弁状部分４４の各々は、図３に示すように、外筒４０の径方向において内側に弧状に屈曲している。このため、外筒４０を膣腔内に挿入する時点では、該外筒４０の先端部が図１や図２に示すように略半球状をなしており、先端開口４３が図４に示すように略閉じた状態にある。そして、タンポン本体２０が後述する内筒５０により先端開口４３から押し出される際に、当該先端開口４３が開くこととなる。
【００２６】
小径部４２は、外筒４０の中で、主として、後述する内筒５０が移動する空間を提供する役割を果たす部分である（ただし、当然のことながら、内筒５０は、小径部４２内だけでなく、大径部４１内においても移動する）。また、当該小径部４２は、タンポン１０の使用時に使用者によって持たれる部分である。
【００２７】
また、小径部４２（外筒４０）は、図３に示すように、後端に開口（以下、後端開口４５と呼ぶ）を備えており、さらに、該後端開口４５よりもやや先端側に形成された環状リブ４６を備えている。
【００２８】
また、外筒４０は、図１、図２、図５、図６に示すように、その（外筒４０の）内面４０ａに外筒４０の長手方向に沿うリブ（以下、長手方向リブ５４と呼ぶ）を備えている。本実施の形態に係る外筒４０は、少なくとも該外筒４０の前記長手方向における中央Ｃ（図１参照）よりも先端側に、長手方向リブ５４を備えている。また、本実施の形態においては、外筒４０が、大径部４１及び小径部４２のうちの大径部４１のみに長手方向リブ５４を備えている。
【００２９】
長手方向リブ５４は、図５に示すように、内面４０ａの内周方向において等間隔に並ぶように３２個配置されている。すなわち、外筒４０（大径部４１）は、内面４０ａの内周方向において等間隔に並ぶように配置された３つ以上の長手方向リブ５４を備えている。なお、本実施の形態においては、互いに隣り合う長手方向リブ５４は、接していない（隣接していない）。
【００３０】
そして、各々の長手方向リブ５４は、図１、図２に示すように、大径部４１の先端側から後端側まで直線状に形成されている。より具体的に説明すると、本実施の形態に係る長手方向リブ５４は、大径部４１の最後端Ｅ２まで設けられている一方で、大径部４１の最先端までは設けられていない。すなわち、前記花弁状部分４４には長手方向リブ５４が備えられておらず、大径部４１の花弁状部分を除いた部分の最先端Ｅ１まで設けられている。
【００３１】
また、本実施の形態に係る長手方向リブ５４は、図５に示すように、大径部４１の径方向に突出したリブであり、当該リブの幅は、径方向中心に近づくほど狭まっている。そして、大径部４１の径方向における長手方向リブ５４の突出高さｈは、図６に示すように、大径部４１と小径部４２の内径差（大径部４１の内半径Ｒ−小径部の内半径ｒ＝Ｒ−ｒ）よりも小さくなっている（ｈ＜Ｒ−ｒ）。換言すれば、長手方向リブ５４を考慮したときの大径部４１の内径Ｒ−ｈ（以下、便宜上、リブ考慮内径と呼ぶ）は、小径部の内径ｒよりも大きくなっている（ｒ＜Ｒ−ｈ）。
【００３２】
そして、タンポン本体２０は、リブ考慮内径と略同様の外径を有しており、タンポン本体２０は、図５に示すように、内面４０ａ及び長手方向リブ５４のうちの長手方向リブ５４のみに接触した状態で、外筒４０の大径部４１に収納されている。すなわち、タンポン本体２０の外表面２１は、内面４０ａとは接触せずに、長手方向リブ５４の径方向における突出先端部のみと接触している。
【００３３】
内筒５０は、外筒４０内において移動して、タンポン本体２０を先端開口４３から外筒４０の外に押し出すためのものである。この内筒５０は、外筒４０内に挿入されており、外筒４０内においてタンポン本体２０よりも後端側に位置している。そして、外筒４０の長手方向に沿って移動して該タンポン本体２０を先端開口４３に向けて後方から押し進める。これにより、タンポン本体２０が、複数の花弁状部分４４の各々を外筒４０の径方向において外側に押し退けながら（換言すると、前記先端開口４３を開きながら）、外筒４０の外に押し出される。このように、内筒５０は、外筒４０内を移動してタンポン本体２０を外筒４０の外に押し出す機能を備えている。
【００３４】
また、本実施形態に係る内筒５０は、タンポン１０の全長をよりコンパクトにするために伸縮可能な構造になっている。具体的に説明すると、図１に示すように、内筒５０が収縮したとき、該内筒５０の長さは外筒４０の長さよりも短くなりタンポン１０を携帯するのに適した長さとなる。一方、図２に示すように、内筒５０が伸張すると、該内筒５０の長さはタンポン本体２０を外筒４０の外に押し出すのに十分な長さとなる。以上のように内筒５０を伸縮可能とするために、本実施形態では、内筒５０が二段構造になっている。具体的に説明すると、本実施形態の内筒５０は、図１、図２に示すように、第一内筒５１と、該第一内筒５１に摺動可能に挿入された第二内筒５２とを有する。
【００３５】
第一内筒５１は、プラスチックにより射出成形された円筒体である。この第一内筒５１は、外筒４０の小径部４２の内径よりも僅かに小さい外径を有する。また、第一内筒５１は、図１に示すように前記小径部４２に摺動自在に挿入されている。第一内筒５１の先端部の外周面上には、環状の鍔部５１ａが形成されている。この鍔部５１ａは、外筒４０の大径部４１の前記リブ考慮内径よりも僅かに小さい外径を有し、前記段差４７の内壁面に係止されることにより内筒５０が外筒４０の後端開口４５から抜け落ちるのを阻止している。そして、内筒５０がタンポン本体２０を外筒４０の外に押し出す際、該内筒５０は、前記鍔部５１ａの外周面が大径部４１の長手方向リブ５４と接するように移動する。さらに、第一内筒５１の内周面の後端部には、図１や図２に示すように、該第一内筒５１の径方向において内側に突出した環状突起５１ｂが形成されている。
【００３６】
第二内筒５２は、熱可塑性樹脂により射出成形された円筒体である。この第二内筒５２は、第一内筒５１の内径よりもやや小さい外径を有する。また、第二内筒５２は、内筒５０が収縮した状態では図１に示すように第一内筒５１内に挿入されており、内筒５０が伸張した状態では図２に示すように該第二内筒５２の先端部にて第一内筒５１の後端部と連結している。第二内筒５２の先端部の外周面上には、円弧状の鍔部５２ａと、該鍔部５２ａよりも後端側に位置する凸部５２ｂが形成されている。この凸部５２ｂの高さは、図２に示すように、後端に向かうにつれて低くなっている。なお、第二内筒５２の鍔部５２ａと凸部５２ｂとの間隔は、第一内筒５１の環状突起５１ｂの厚みよりもやや長くなっている。
【００３７】
そして、第二内筒５２が後端側に引っ張られると、第一内筒５１の環状突起５１ｂが第二内筒５２の鍔部５２ａと凸部５２ｂとの間に位置するようになる。かかる状態になると、図２に示すように、前記環状突起５１ｂが前記鍔部５２ａ及び凸部５２ｂに係止され、第一内筒５１と第二内筒５２が連結する。
【００３８】
さらに、図１や図２に示すように、第二内筒５２の後端部にはフレア状部分５２ｃが形成されている。当該フレア状部分５２ｃの外径は、少なくとも第一内筒５１の内径よりも大きく、外筒４０の小径部４２の内径以上であることが望ましい。
【００３９】
以上の通り、本実施の形態に係るタンポン１０においては、外筒４０が、その内面４０ａに外筒４０の長手方向に沿う長手方向リブ５４を備える。そして、このことにより、タンポン本体２０が適切に外に押し出されるタンポン１０が実現されることとなる。
【００４０】
上記につき、本実施の形態に係るタンポン１０と比較例に係るタンポン１０とを比較しながら、図７を用いて説明する。図７は、図５に対応した図であり、比較例に係るタンポン１０を表した図である。
【００４１】
本実施の形態に係るタンポン１０と比較例に係るタンポン１０とを比較すると、タンポン本体２０と、先端に先端開口４３を備え、タンポン本体２０を収納するための外筒４０と、該外筒４０内において移動して、タンポン本体２０を先端開口４３から外筒４０の外に押し出すための内筒５０と、を有する点については、共通している。しかしながら、比較例に係るタンポン１０は、長手方向リブを備えておらず、図７から明らかなように、タンポン本体２０の外表面２１と外筒４０の内面４０ａとの接触面積が大きくなる。そのため、使用者による内筒５０の操作により内筒５０がタンポン本体２０を先端開口４３から外筒４０の外に押し出す際に、タンポン本体２０が前記外表面２１と前記内面４０ａとの間に生ずる過大な摩擦力により適切に外に押し出されない場合がある。
【００４２】
これに対し、本実施の形態に係るタンポン１０においては、外筒４０が、その内面４０ａに外筒４０の長手方向に沿う長手方向リブ５４を備えるため、図５から明らかなように、タンポン本体２０の外表面２１と長手方向リブ５４とが接触し、双方の接触面積が比較例と比較して顕著に小さくなる。そのため、使用者による内筒５０の操作により内筒５０がタンポン本体２０を先端開口４３から外筒４０の外に押し出す際に、前記摩擦力は小さくなり、タンポン本体２０が適切に外に押し出されることとなる。
【００４３】
また、本実施の形態に係るタンポン１０は、前記摩擦力が小さくなることに起因して、静電気の発生が抑制されるというメリットも有する。
【００４４】
また、本実施の形態において、外筒４０は、内面４０ａの内周方向において等間隔に並ぶように配置された３つ以上の長手方向リブ５４を備えることとしたため、タンポン本体２０が、完全に、長手方向リブ５４に支持されることとなる。そして、このことは、タンポン本体２０が長手方向リブ５４のみに接触する状況（タンポン本体２０が内面４０ａに接触しない状況）を作り出し易くする。したがって、タンポン本体２０が外筒４０の外に押し出される際に、前記摩擦力を確実に小さくすることが可能となり、タンポン本体２０がより適切に外に押し出されることとなる。
【００４５】
また、本実施の形態において、タンポン本体２０は、内面４０ａ及び長手方向リブ５４のうちの長手方向リブ５４のみに接触していることとしたため、タンポン本体２０が外筒４０の外に押し出される際に、前記摩擦力が確実に小さくなり、タンポン本体２０がより適切に外に押し出されることとなる。
【００４６】
また、本実施の形態において、外筒４０は、少なくとも該外筒４０の前記長手方向における中央Ｃよりも先端側に、長手方向リブ５４を備えることとしたため、以下の優位性を有する。すなわち、タンポン本体２０が外筒４０の外に押し出され始めてから押し出され終えるまでの間に、中央Ｃよりも先端側には、中央Ｃよりも後端側よりも、タンポン本体２０のより多くの部分が摺動する（つまり、中央Ｃよりも後端側には、タンポン本体２０の後端側しか摺動しないが、中央Ｃよりも先端側には、タンポン本体２０の先端側だけでなく後端側も摺動する）。そのため、外筒４０が、少なくとも該外筒４０の中央Ｃよりも先端側に、長手方向リブ５４を備えれば、タンポン本体２０がより適切に外に押し出されることとなる。
【００４７】
また、本実施の形態において、外筒４０は、花弁状部分４４に長手方向リブ５４を備えないこととしたため、以下の優位性を有する。すなわち、仮に花弁状部分４４に長手方向リブ５４が備えられた場合には、花弁状部分４４の剛性が高くなり、先端開口４３が開きにくくなる。そのため、タンポン本体２０が適切に外に押し出されなくなる可能性が生ずる。本実施の形態においては、花弁状部分４４に長手方向リブ５４がないため、先端開口４３が開きにくくなる問題が生じず、タンポン本体２０がより適切に外に押し出されることとなる。
【００４８】
また、本実施の形態においては、大径部４１及び小径部４２のうちの大径部４１のみにタンポン本体２０が収納されており、内筒５０は、外筒４０の大径部４１内及び小径部４２内において移動して、タンポン本体２０を先端開口４３から外筒４０の外に押し出し、外筒４０は、大径部４１及び小径部４２のうちの大径部４１のみに長手方向リブ５４を備えることとした。そのため、タンポン本体２０が収納されている必要最小限の箇所のみに長手方向リブ５４が設けられていることとなり、したがって、タンポン本体の適切な押し出しが効率的に行われる点で優位性を有する。
【００４９】
また、本実施の形態において、大径部４１の径方向における長手方向リブ５４の突出高さｈは、大径部４１と小径部４２の内径差Ｒ−ｒよりも小さくなっている。換言すれば、大径部４１のリブ考慮内径Ｒ−ｈは、小径部４２の内径ｒよりも大きくなっている。そのため、大径部４１に収納されたタンポン本体２０が小径部４２の方へ入ってしまうという問題の発生が防止されることとなる。
【００５０】
また、本実施の形態においては、タンポン本体２０の外表面２１に、製剤Ｍが付着していることとしたため、外筒４０がその内面４０ａに外筒４０の長手方向に沿う長手方向リブ５４を備える構成が以下の効果を生じさせる。すなわち、仮に長手方向リブが備えられていない場合には、タンポン本体２０の外表面２１と外筒４０の内面４０ａとの接触面積が大きくなる。そのため、タンポン本体２０が外筒４０の外に押し出される際に、外表面２１に付着していた製剤Ｍの多くが外筒４０の内面４０ａに移動してしまう。したがって、膣腔内に投与される製剤Ｍの量が少なくなってしまう。これに対し、本実施の形態においては、前記構成を備えるから、外表面２１と内面４０ａとの接触面積が小さくなる。そのため、タンポン本体２０が外筒４０の外に押し出される際に、外表面２１から内面４０ａへ移動する製剤の量が少なくなり、膣腔内に投与される製剤Ｍの量が少なくなってしまう問題が回避されることとなる。
【００５１】
＝＝＝その他の実施の形態＝＝＝
以上、上記実施の形態に基づき本発明に係るタンポンを説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００５２】
また、上記実施の形態においては、長手方向リブ５４の幅が、径方向中心に近づくほど狭まっていることとしたが、これに限定されるものではない。例えば、図８に示すように、長手方向リブ５４の幅が、径方向に亘って同じであることとしてもよい。但し、上記実施形態に係る長手方向リブ５４の方が、前記接触面積を小さくすることができる点で、より望ましい。図８は、図５に対応した図であり、他の実施形態に係る長手方向リブ５４を示した図である。
【００５３】
また、上記実施の形態においては、互いに隣り合う長手方向リブ５４は、接していない（隣接していない）こととしたが、これに限定されるものではなく、図９に示すように、互いに隣り合う長手方向リブ５４が接していることとしてもよい。図９は、図５に対応した図であり、他の実施形態に係る長手方向リブ５４を示した図である。
【００５４】
また、上記実施の形態においては、外筒４０が、大径部４１及び小径部４２のうちの大径部４１のみに長手方向リブ５４を備えることとしたが、これに限定されるものではなく、図１０に示すように、大径部４１及び小径部４２の双方に長手方向リブ５４を備えることとしてもよい。かかる場合には、図１０から明らかなように、内筒５０（第一内筒５１）と小径部４２の長手方向リブ５４とが接触し、双方の接触面積が顕著に小さくなる。そのため、使用者による内筒５０の操作により内筒５０がタンポン本体２０を先端開口４３から外筒４０の外に押し出す際に、内筒５０、長手方向リブ５４間の摩擦力が小さくなり、内筒５０が適切に移動することとなる。図１０は、図６に対応した図であり、他の実施形態に係るタンポン１０を示した図である。
【００５５】
また、上記実施の形態においては、製剤Ｍの成分の例として松樹皮抽出物を挙げたが、これに限定されるものではない。例えば、レッドクローバー、タデ藍エキス、インジルビン等の植物抽出物であってもよい。また、松樹皮抽出物の例としてフラバンジェノールを例に挙げたが、これに限定されるものではない。例えば、日本シイベルヘグナー社が取り扱うピクノジェノールやバレンタイン社が取り扱うエンゾジノールであってもよい。
【符号の説明】
【００５６】
１０  タンポン、
２０  タンポン本体、２１  外表面、２２  取り出し紐、３０  アプリケータ、
４０  外筒（収納筒）、４０ａ  内面、４１  大径部、４２  小径部、４３  先端開口（開口）、
４４  花弁状部分、４５  後端開口、４６  環状リブ、４７  段差、
５０  内筒（押出部材）、５１  第一内筒、５１ａ  鍔部、５１ｂ  環状突起、
５２  第二内筒、５２ａ  鍔部、５２ｂ  凸部、５２ｃ  フレア状部分、
５４  長手方向リブ（リブ）、Ｃ  中央、Ｅ１  最先端、Ｅ２  最後端、Ｍ  製剤
【図１】
2010200909.tif 000003
【図２】
2010200909.tif 000004
【図３】
2010200909.tif 000005
【図４】
2010200909.tif 000006
【図５】
2010200909.tif 000007
【図６】
2010200909.tif 000008
【図７】
2010200909.tif 000009
【図８】
2010200909.tif 000010
【図９】
2010200909.tif 000011
【図１０】
2010200909.tif 000012